(57)【特許請求の範囲】
【請求項１】
建物の複数の部屋をまとめて換気するセントラル換気装置であって、
屋外に排出する室内の空気および室内に供給する屋外の空気の間で全熱を交換する全熱交換器と、
この全熱交換器の全熱交換動作を解除する全熱交換解除手段と、
外気温を検出する外気温度センサと、
室内の温度を検出する排気温度センサと、
前記外気温度センサ及び前記排気温度センサを利用して前記全熱交換解除手段の入切を制御する制御装置と、を備え、
前記全熱交換解除手段の動作は、前記外気温度センサによって検出された外気温に応じた運転モードに設定され、
前記制御装置は、比較部及び制御部を備え、
前記比較部は、前記外気温度センサで検出した外気温と前記排気温度センサで検出した室内の温度とを比較し、その比較結果に応じた信号を前記制御部へ出力し、
前記制御部は、前記比較部から出力された前記比較結果に応じた信号を受信すると共に、前記外気温度センサで検出した外気温に応じた信号を前記外気温度センサから受信し、前記外気温と設定温度とに基づいて前記全熱交換解除手段の前記運転モードを設定し、さらに、この運転モード及び前記比較結果に基づいて前記全熱交換解除手段の入切を制御する
ことを特徴とするセントラル換気装置。
【請求項２】
請求項１に記載のセントラル換気装置において、
前記建物は、空調機が設けられた複数の室を備え、
前記空調機が設けられた複数の室内には、前記空調機の冷房、暖房及び送風の三つの運転状態の切換操作を行うための操作パネルが設けられ、
前記制御装置は、前記空調機が送風運転状態である旨の送風信号を前記操作パネルから受信し、全ての空調機が送風運転している場合に前記送風信号を前記制御部に出力するアンド回路を備え、
前記制御部は、前記アンド回路から前記送風信号を受信すると、前記全熱交換解除手段の全熱交換動作を解除する
ことを特徴とするセントラル換気装置。
【請求項３】
請求項１又は請求項２に記載のセントラル換気装置において、
前記全熱交換器は、全熱交換エレメントがケーシングに移動不可能に固定された静止型であり、
前記全熱交換解除手段として、前記全熱交換エレメントを迂回するバイパスダクトと、このバイパスダクトに接続されるとともに、流路を当該バイパスダクトおよび全熱交換エレメントの一方から他方へ切り換えるための切換ダンパとが設けられている
ことを特徴とするセントラル換気装置。
【請求項４】
請求項１ないし請求項３のいずれかに記載のセントラル換気装置において、
前記セントラル換気装置は、前記建物の小屋裏に設置され、
当該建物の屋根面には、当該セントラル換気装置の吸気口および排気口が形成されている
ことを特徴とするセントラル換気装置。
【請求項５】
請求項１ないし請求項４のいずれかに記載のセントラル換気装置において、
前記建物の屋根は、その下地面の上に太陽光エネルギーを電力に変換する太陽電池パネルが複数配列されたものであり、
この太陽電池パネルと前記下地面との間には、軒先側から棟側へ連通する隙間が形成され、
前記下地面には、当該セントラル換気装置の吸気口および排気口が形成されている
ことを特徴とするセントラル換気装置。
【請求項６】
請求項１ないし請求項４のいずれかに記載のセントラル換気装置において、
前記建物の屋根面は、屋根葺材により葺かれ、
前記屋根の下地面には、吸気口および排気口が形成され、
前記屋根葺材は、前記吸気口および排気口の上方を覆うカバー部を備え、
このカバー部は、前記屋根葺材に一体成形されている
ことを特徴とするセントラル換気装置。
【発明の詳細な説明】
【０００１】
【発明の属する技術分野】
本発明は、建物の複数の部屋をまとめて換気するセントラル換気装置に関する。
【０００２】
【背景技術】
従来より、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
このような高気密・高断熱建物では、屋内外の空気の出入りを遮断しているため、当該建物の換気を充分に行う必要がある。
そこで、高気密・高断熱建物の換気を行うために、当該建物内に建物の複数の部屋をまとめて換気するセントラル換気装置を設ける場合がある（特開平１１−３４４２５３号公報等参照）。
このようなセントラル換気装置は、建物の小屋裏内に設置されることが多く、熱エネルギーの無駄をなくすために、屋外に排出する室内の空気および室内に供給する屋外の空気の間で全熱を交換する全熱交換器を備えている。
【０００３】
【発明が解決しようとする課題】
前述のようなセントラル換気装置では、屋根の防水性能を確保するために、給排気口となる開口が屋根面に設けられないことから、軒先近傍の外壁に吸気口および排気口となる開口を形成するため、セントラル換気装置と吸気口および排気口とを接続するダクトの長さが長くなるという問題がある。
また、屋根の軒の出寸法が小さく、軒先近傍の外壁に吸気口および排気口となる開口を形成する場合、小屋裏の下方の天井の位置に孔を設け、この孔からダクトを下方に折り曲げて開口に接続し、室内への水の吹き込みを防止している。このため、折れ曲がったダクトを形成する必要があり、当該ダクトの取付作業が面倒となるという問題がある。
さらに、梅雨時等、外気の全熱が室内の全熱よりも小さい場合には、全熱交換器で熱交換を行うと、冷房負荷がかえって大きくなり、熱エネルギーの無駄が生じるという問題がある。
【０００４】
本発明の目的は、熱エネルギーの無駄の削減が図れるようになるセントラル換気装置を提供することにある。
【０００５】
【課題を解決するための手段】
本発明は、図面をも参照して説明すると、建物の複数の部屋をまとめて換気するセントラル換気装置60であって、屋外に排出する室内の空気（以下、「排気」という。）および室内に供給する屋外の空気の間で全熱を交換する全熱交換器62と、この全熱交換器62の全熱交換動作を解除する全熱交換解除手段80と、外気温を検出する外気温度センサと、室内の温度を検出する排気温度センサと、前記外気温度センサ及び前記排気温度センサを利用して前記全熱交換解除手段の入切を制御する制御装置と、を備え、前記全熱交換解除手段の動作は、前記外気温度センサによって検出された外気温に応じた運転モードに設定され、前記制御装置は、比較部及び制御部を備え、前記比較部は、前記外気温度センサで検出した外気温と前記排気温度センサで検出した室内の温度とを比較し、その比較結果に応じた信号を前記制御部へ出力し、前記制御部は、前記比較部から出力された前記比較結果に応じた信号を受信すると共に、前記外気温度センサで検出した外気温に応じた信号を前記外気温度センサから受信し、前記外気温と設定温度とに基づいて前記全熱交換解除手段の前記運転モードを設定し、さらに、この運転モード及び前記比較結果に基づいて前記全熱交換解除手段の入切を制御することを特徴とする。
このような発明では、外気と排気との全熱を交換した方が有利となる、冷房期である盛夏および暖房期である厳冬期においては、全熱交換解除手段80を作動させず、全熱交換器62で外気と排気との全熱交換を行い、屋外に排出される排気に含まれる熱エネルギーを回収し、熱エネルギーの無駄を小さくする。また、中間期等、外気と排気との全熱を交換すると、かえって熱エネルギーが損なわれる場合には、全熱交換解除手段80を作動させ、全熱交換器62の全熱交換動作を解除し、排気との熱交換を行わないで、外気をそのまま室内へ取り入れるようにし、全熱交換による熱エネルギーの無駄を小さくする。これにより、冷房期、暖房期および中間期のいずれにおいても、熱エネルギーの無駄が小さくなるので、当該熱エネルギーのコストの削減が図れるようになる。
さらに、このような外気温度センサ及び排気温度センサを建物の室内および屋外にそれぞれ設ければ、外気温度センサ及び排気温度センサで検出された外気温および室温を制御装置74で比較して、その結果から制御装置74が全熱交換解除手段80の入切を自動的に行うようになり、全熱交換器62の全熱交換動作および全熱交換解除の切換が容易に行えるようになる。
また、前記建物は、空調機が設けられた複数の室を備え、前記空調機が設けられた複数の室内には、前記空調機の冷房、暖房及び送風の三つの運転状態の切換操作を行うための操作パネルが設けられ、前記制御装置は、前記空調機が送風運転状態である旨の送風信号を前記操作パネルから受信し、全ての空調機が送風運転している場合に前記送風信号を前記制御部に出力するアンド回路を備え、前記制御部は、前記アンド回路から前記送風信号を受信すると、前記全熱交換解除手段の全熱交換動作を解除することが望ましい。
このような空調機43は、運転状態として、冷房、暖房および送風の三つのモードの一つが選択可能とされ、この選択操作を操作パネル71で行うようになっているので、空調機43の送風運転に全熱交換解除手段80を連動させるために、操作パネル71の送風信号を取り出し、当該送風信号を前記制御装置に入力させれば、当該全熱交換解除手段80の入切が操作パネル71で送風を選択することにより自動的に行えるようになり、全熱交換解除手段80を空調機43の運転状態に合わせて入切する煩雑さが回避される。
【０００６】
以上において、前記全熱交換器62は、全熱交換エレメント62C がケーシングに移動不可能に固定された静止型であり、前記全熱交換解除手段80として、前記全熱交換エレメント62C を迂回するバイパスダクト66，67と、流路を前記バイパスダクト66，67および前記全熱交換エレメント62C の一方から他方へ切り換えるための切換ダンパ68，69とが設けられていることが望ましい。
このような切換ダンパ68，69でバイパスダクト66，67側の開口を閉鎖すれば、全熱交換エレメント62C を通じて換気が行われ、全熱交換解除手段80が切状態となとなり、全熱交換器62の全熱交換動作が行われるようになる。
一方、切換ダンパ68，69で全熱交換エレメント62C 側の開口を閉鎖すれば、バイパスダクト66，67を通じて換気が行われ、全熱交換解除手段80が入状態となった全熱交換器62の全熱交換解除動作が行われるようになる。
これにより、全熱交換器62の全熱交換動作および全熱交換解除動作の切換が可能となり、当該全熱交換器62の二つの動作が容易に切り換えられるようになるうえ、全熱交換器62の各動作におけるエアバランスの維持が可能となる。
【０００９】
また、前記セントラル換気装置60は、前記建物１の小屋裏4Cに設置され、当該建物１の屋根面14には、当該セントラル換気装置60の吸気口65A および排気口65B が形成されていることが望ましい。
このようにすれば、セントラル換気装置60が平面視で建物１の中央部分に設けられ、外壁に吸気口65A および排気口65B を設けると、ダクト63，64が長くなる場合でも、最寄りの屋根面14に吸気口65A および排気口65B を設けることにより、ダクト63，64の長さを短くすることができる。
【００１０】
さらに、前記建物１の屋根４は、その下地面15の上に太陽光エネルギーを電力に変換する太陽電池パネル51が複数配列されたものであり、この太陽電池パネル51と前記下地面15との間には、軒先4B側から棟4A側へ連通する隙間16が形成され、前記下地面15には、当該セントラル換気装置60の吸気口65A および排気口65B が形成されていることが望ましい。
このようにすれば、太陽電池パネル51が吸気口65A および排気口65B の上方を覆うので、下地面15に吸気口65A および排気口65B を形成しても、屋根４の防水性能を損なうことがないことから、屋根４の防水構造を何ら変更することなく、吸気口65A および排気口65B のための防水構造を別途設ける必要がなく、吸気口65A および排気口65B の設置作業が容易となるうえ、吸気口65A および排気口65B が外部に露出されず、室内の美観が損なわれない。
【００１１】
また、前記建物１の屋根面14は、屋根葺材81により葺かれ、前記屋根４の下地面15には、吸気口65A および排気口65Bが形成され、前記屋根面14には、前記吸気口65A および排気口65B の上方を覆うカバー部90が設けられ、このカバー部90は、前記屋根葺材81に一体成形されていることが望ましい。
このような下地面15に形成された吸気口65A および排気口65B に嵌合させるパイプ部91を用意し、このパイプ部91を下地面15から上方へ突出させて設置すれば、傾斜した屋根面14から雨水が流れ落ちてきても、吸気口65A および排気口65B に雨水が浸入せず、屋根４の防水処理が容易となる。
また、下地面15に形成された吸気口65A および排気口65B の上方を覆うカバー部90を屋根４を葺く屋根葺材81A に一体成形したので、通常の屋根葺材81とともに、屋根葺作業を行うことで、カバー部90を別途設置する作業が不要となり、屋根４上での作業量を軽減できる。
【００１４】
【発明の実施の形態】
以下、本発明の実施の形態を図面に基づいて説明する。
［第一実施形態］
図１には、本発明の第一実施形態に係るユニット式建物１が示されている。このユニット式建物１は、敷地に設けられた基礎２の上に箱状に形成された建物ユニット10を複数組み合わせることにより形成した居室部３と、二階を形成する建物ユニット10の上面に立設された図示しない束に支持される屋根パネル９を相互に連結して形成された屋根４とを有するものである。
また、ユニット式建物１は、高断熱および高気密の建物とされ、空調エネルギーの損失が少ないものとなっている。
なお、ユニット式建物１の一階には、図中正面左側の角部に配置された玄関用建物ユニット10A により玄関12が形成され、他の部分に配置された複数の居室用建物ユニット10B により一階居室部3Aが形成されている。
一方、ユニット式建物１の二階には、複数の居室用建物ユニット10B が配置され、これらの居室用建物ユニット10B の内部に二階居室部3Bが形成されている。
この居室部3Bの図中正面には、バルコニを形成するバルコニユニット13が外壁面から突出するように設けられている。
ユニット式建物１の屋根４は、棟4Aの両側に、棟4Aから軒先4Bに向かって下り勾配を有する屋根面14が形成された切妻式の屋根である。
屋根面14は、太陽光エネルギーを電力に変換する屋根葺材である太陽電池パネル51が葺かれている。これにより、屋根４は、太陽電池付屋根とされている。
【００１５】
屋根パネル９は、図２に示されるように、溝形鋼や角鋼管等の軸組材を四角枠状に組んだフレーム６と、このフレーム６上に張り付けられた野地板７と、この野地板７の上に張り付けられたルーフィング等の防水シート８とを備えている。
屋根パネル９の野地板７の上面は、屋根面14の下地面15となっている。
下地面15には、屋根面14の傾斜方向に沿って延びるとともに、レール状に形成された複数の支持部材53が設けられている。太陽電池パネル51は、屋根面14の傾斜方向に沿った両側の端縁が支持部材53に支持されている。
支持部材53は、下地面15に取り付けられる脚部53A と、上方が開口された溝部53B とを有している。
太陽電池パネル51は、太陽光エネルギーを電力に変換するソーラーセル52を有している。
太陽電池パネル51の下面および下地面15の間には、隙間16が形成されている。
この隙間16は、軒先4B側から棟4A側へ連通している。
屋根４の小屋裏4Cには、建物１のフロア毎に独立して換気を行うセントラル換気装置60が設けられている。このセントラル換気装置60は、換気を行うための送風機等が内蔵されたセントラル換気ユニット61を備えている。このセントラル換気ユニット61は、二階に配置された建物ユニット10B の天井パネル５を構成する天井小梁5Aの上面に固定されたブラケット60A により支持されている
屋根面14の下地面15には、セントラル換気ユニット61の吸気口65A および排気口65B が形成されている。この吸気口65A および排気口65B は、太陽電池パネル51および屋根４の下地面15の間の隙間16に連通している。この吸気口65A および排気口65B には、全熱交換器62の吸気ダクト63および排気ダクト64がそれぞれ接続されている。
【００１６】
建物１の二階には、図３に示されるように、二階の図中下側半分を占める主寝室35と、図中上側半分の両側縁に沿った副寝室36，37と、これらの副寝室36，37の間の階段室38と、主寝室35および副寝室37の間のトイレ39とが備えられている。
また、建物１の二階には、主寝室35および副寝室36，37を一台で換気するセントラル換気装置60が設けられている。
このうち、主寝室35および副寝室36，37の天井には、換気された空気を吹き出す吹出口40が設けられている。これらの吹出口40の各々は、略水平方向に延びるダクト41を介して、階段室38の上方に配置されたセントラル換気ユニット61の吹出口に接続されている。
主寝室35および副寝室36，37の壁には、これらの室の冷房、暖房および送風を行う空調機であるエア・コンディショナ（以下、「エアコン」と略す。）43が設けられている。各エアコン43の近傍には、エアコン用の操作パネル71が設けられている。
エアコン43は、冷房、暖房および送風の三つの運転状態のいずれか一つで運転されるようになっている。
操作パネル71は、エアコン43の三つの運転状態の切換操作を行うものである。
セントラル換気ユニット61の吸込口40A は、当該換気ユニット61の下面に設けられている。セントラル換気ユニット61は、室内空気の排気口および室内空気の取入口のそれぞれが吸気ダクト63および排気ダクト64を介して屋外と連通している。
なお、トイレ39には、それ専用の排気送風機34が設けられ、トイレ39の天井には、排気送風機34に接続された吸込口33が設けられ、これらにより、トイレ39は、単独で排気が行われるようになっている。
【００１７】
建物１の一階の中心部分には、図４に示されるように、階段室21が設けられ、この階段室21を囲むように、図中下方から右回りに、リビング・ダイニング・キッチン22、和室23、浴室24、洗面室25、トイレ26および玄関12が設けられている。
また、建物１の一階には、当該フロアの換気を一台で行うためのセントラル換気装置60が設けられている。
このうち、リビング・ダイニング・キッチン22および和室23の天井には、換気された空気を吹き出す吹出口40が設けられている。これらの吹出口40は、ダクト41を介して、階段室21の上方に配置されたセントラル換気ユニット61の吹出口に接続されている。セントラル換気ユニット61の吸込口40A は、当該換気ユニット61の下面に設けられている。セントラル換気ユニット61は、室内空気の排気口および室内空気の取入口のそれぞれが吸気ダクト63および排気ダクト64を介して屋外と連通している。
また、リビング・ダイニング・キッチン22に設けられたレンジ30の上方には、レンジフードの内部に開口された吸込口31が設けられている。この吸込口31は、排気ファン32に接続されている。これにより、レンジ30で生じた煙が排煙されるようになっている。
さらに、浴室24およびトイレ26には、それ専用の排気送風機34が設けられ、浴室24およびトイレ26の各々の天井には、排気送風機34に接続された吸込口33が設けられている。これにより、浴室24およびトイレ26内の空気が個別に排出されるようになっている。
リビング・ダイニング・キッチン22および和室23の壁には、エアコン43が設けられている。各エアコン43の近傍には、エアコン43用の操作パネル71が設けられている。
【００１８】
セントラル換気ユニット61の内部には、図５に示されるように、屋外に排出する室内の空気をおよび室内に供給する屋外の空気の間で全熱を交換する全熱交換器62が収納されている。
全熱交換器62は、全熱交換エレメント62C をケーシングに移動不可能に固定した静止型である。
また、セントラル換気ユニット61には、屋外の新鮮な空気を室内に供給するための給気送風機62A と、室内の空気を屋外に排出するための排気送風機62B と、全熱交換エレメント62C を迂回するバイパスダクト66，67とが設けられている。
給気送風機62A は、吸気ダクト63が接続された外気チャンバー61A の内部に設けられている。排気送風機62B は、吸込口40A と連通する還気チャンバー61B の内部に設けられている。
外気チャンバー61A は、バイパスダクト66を介して給気チャンバー61C に接続されている。この給気チャンバー61C には、ダクト41が接続されるとともに、全熱交換エレメント62C の外気吹出口が接続されている。
還気チャンバー61B は、バイパスダクト67を介して排気チャンバー61D に接続されている。この排気チャンバー61D には、排気ダクト64が接続されるとともに、全熱交換エレメント62C の排気吹出口が接続されている。
給気送風機62A の吹出口の下流部分には、流路をバイパスダクト66および全熱交換エレメント62C の一方から他方へ切り換えるための切換ダンパ68が設けられている。この切換ダンパ68は、モータ68A で駆動されるものである。
排気送風機62B の吹出口の下流部分には、流路をバイパスダクト67および全熱交換エレメント62C の一方から他方へ切り換えるための切換ダンパ69が設けられている。この切換ダンパ69は、モータ69A で駆動されるものである。
モータ68A，69Aは、互いに連動して作動するようになっている。
ここにおいて、切換ダンパ68，69、バイパスダクト66，67およびモータ68A，69Aは、全熱交換器62の全熱交換動作を解除する全熱交換解除手段80を構成している。
【００１９】
セントラル換気ユニット61は、通常、バイパスダクト66，67側の開口が切換ダンパ68，69で閉鎖され、バイパスダクト66，67に空気が流通せず、全熱交換エレメント62C を通じて換気が行われるようになっており、このような状態を全熱交換状態という。
一方、全熱交換解除手段80が動作すると、セントラル換気ユニット61は、全熱交換エレメント62C 側の開口が切換ダンパ68，69で閉鎖され、全熱交換エレメント62C に空気が流通せず、バイパスダクト66，67を通じて換気が行われるようになっており、このような状態を全熱交換解除状態という。
セントラル換気ユニット61の外気チャンバー61A には、外気温を検出する外気温度センサ72が設けられ、セントラル換気ユニット61の還気チャンバー61Bには、室内の温度を検出する排気温度センサ73が設けられている。
【００２０】
セントラル換気ユニット61には、温度センサ72，73で検出した温度に基づいて、切換ダンパ68，69の動作を制御する制御装置74が設けられている。
この制御装置74には、図６に示されるように、温度センサ72，73で検出した室内の温度および外気温を比較する比較部75と、切換ダンパ68，69の動作を制御する制御部76と、温度センサ72，73からの信号を、温度に応じた所定の電圧信号に変換する変換器77，78と、操作パネル71の送風信号が入力されるとともに、その出力が制御部76へ送出されるアンド回路79を備えている。
【００２１】
比較部75は、変換器77，78からの電圧信号が入力され、外気温が室内の温度よりも高いときには、所定電圧のＨｉ信号を出力し、外気温が室内の温度よりも低いときには、Ｈｉ信号よりも低電圧のＬｏ信号を出力するものとなっている。
制御部76は、比較部75からＨｉ信号を受信すると、切換ダンパ68，69を開状態および閉状態の一方から他方へ動作させ、Ｌｏ信号を受信すると、切換ダンパ68，69を元の状態に戻すものである。
また、制御部76は、変換器77を介して外気温度センサ72で検出した外気温に応じた電圧信号が直接入力され、全熱交換解除手段80の動作設定を切り換えるものとなっている。
具体的には、制御部76は、外気温度センサ72で検出した外気温が第一の設定温度（例えば、１４℃）以下となると、全熱交換解除手段80の動作を暖房運転モードに設定するようになっている。
さらに具体的に説明すれば、制御部76は、暖房運転モードとなると、外気温が室内の温度よりも低い場合には、切換ダンパ68，69でバイパスダクト66，67側の開口を閉鎖し、外気温が室内の温度よりも高い場合には、切換ダンパ68，69で全熱交換エレメント62C 側の開口を閉鎖するようになっている。
【００２２】
また、制御部76は、外気温度センサ72で検出した外気温が第二の設定温度（例えば、１８℃）以上となると、全熱交換解除手段80の動作を冷房運転モードに設定するようになっている。
具体的には、制御部76は、冷房運転モードとなると、外気温が室内の温度よりも高い場合には、切換ダンパ68，69でバイパスダクト66，67側の開口を閉鎖し、外気温が室内の温度よりも低い場合には、切換ダンパ68，69で全熱交換エレメント62C 側の開口を閉鎖するようになっている。
さらに、アンド回路79は、全てのエアコン43が送風運転している場合に、送風信号を制御部76へ送出するものである。
そして、制御部76は、アンド回路79からの送風信号を受信すると、全熱交換解除手段80を起動し、全熱交換器62の全熱交換機能を解除する。
【００２３】
次に、全熱交換解除手段80の動作について説明する。
まず、外気温が第二の設定温度よりも高い夏期等において、冷房運転モード（ドライ運転を含む）で作動する場合、外気温が室内の温度よりも高いと、切換ダンパ68，69がバイパスダクト66，67側の開口を閉鎖し、全熱交換エレメント62C により外気と排気との全熱交換が行われる。
一方、外気温が室内の温度よりも低いと、切換ダンパ68，69が全熱交換エレメント62C 側の開口を閉鎖し、バイパスダクト66，67に外気および排気を流通させ、全熱交換器62の全熱交換機能を解除する。
また、外気温が第一の設定温度よりも低い冬期等において、暖房運転モードで作動する場合、外気温が室内の温度よりも低いと、切換ダンパ68，69がバイパスダクト66，67側の開口を閉鎖し、全熱交換エレメント62C により外気と排気との全熱交換が行われる。
一方、外気温が室内の温度よりも高いと、切換ダンパ68，69が全熱交換エレメント62C 側の開口を閉鎖し、バイパスダクト66，67に外気および排気を流通させ、全熱交換器62の全熱交換機能を解除する。
【００２４】
さらに、中間期等、原則的に冷房および暖房を行わない期間において、複数のエアコン43のうち一つでも冷房モードあるいは暖房モードで運転している時、切換ダンパ68，69がバイパスダクト66，67側の開口を閉鎖し、全熱交換エレメント62C により外気と排気との全熱交換が行われる。
また、全てのエアコン43が送風モードで運転している時、切換ダンパ68，69が全熱交換エレメント62C 側の開口を閉鎖し、バイパスダクト66，67に外気および排気を流通させ、全熱交換器62の全熱交換機能を解除する。
以上において、夏から冬へ季節が変わるにつれ、外気温が低くなり、当該外気温が第一の設定温度よりも低くなると、制御部76により、全熱交換解除手段80の動作が暖房運転モードに自動的に切り替わる。
また、冬から夏へ季節が変わるにつれ、外気温が高くなり、当該外気温が第二の設定温度よりも高くなると、制御部76により、全熱交換解除手段80の動作が冷房運転モードに自動的に切り替わる。
【００２５】
このような本第一実施形態によれば、次のような効果がある。
すなわち、冷房期および暖房期においては、全熱交換解除手段80を作動しないので全熱交換器62で外気と排気との全熱交換を行い、排気に含まれる熱エネルギーを回収し、熱エネルギーの無駄を小さくする。
また、中間期等、外気と排気との全熱を交換すると、かえって熱エネルギーが損なわれる場合には、全熱交換解除手段80を作動させ、全熱交換器62の全熱交換動作を解除し、排気との熱交換を行わないで、外気をそのまま室内へ取り入れるようにし、全熱交換による熱エネルギーの無駄を小さくする。
これにより、冷房期、暖房期および中間期のいずれにおいても、熱エネルギーの無駄が小さくなるので、当該熱エネルギーのコストを削減できる。
【００２６】
また、切換ダンパ68，69により、全熱交換エレメント62C 側の開口およびバイパスダクト66，67側の開口の開放および閉鎖を行うようにしたので、全熱交換器62の全熱交換動作および全熱交換解除の切換が可能となり、当該全熱交換器62の二つの動作を容易に切り換えることができるうえ、全熱交換器62の各動作におけるエアバランスを維持できる。
【００２７】
さらに、エアコン43の送風運転時に、操作パネル71の送風信号をアンド回路79を介して制御装置74の制御部76に入力するようにしたので、当該全熱交換解除手段80の入切が操作パネル71で送風を選択することにより自動的に行えるようになり、全熱交換解除手段80を空調機43の運転状態に合わせて入切する煩雑さを回避できる。
【００２８】
また、温度センサ72，73をセントラル換気ユニット61内にそれぞれ設け、温度センサ72，73で検出された外気温および室温を比較する制御装置74の比較部75を設けたので、それらの温度の比較の結果から制御装置74が全熱交換解除手段の入切を自動的に行うようになり、全熱交換器62の全熱交換動作および全熱交換解除の切換を容易に行うことができる。
【００２９】
さらに、セントラル換気ユニット61を屋根４の小屋裏4Cに設置し、セントラル換気ユニット61近傍の下地面15に吸気口65A および排気口65B を形成したので、吸気ダクト63および排気ダクト64の長さを短くすることができる。
【００３０】
また、下地面15に太陽電池パネル51を設け、この太陽電池パネル51と下地面15との間に隙間16を形成し、下地面15に吸気口65A および排気口65B の上方を太陽電池パネル51が覆っているので、下地面15に吸気口65A および排気口65Bを形成しても、屋根４の防水性能を損なうことがないことから、屋根４の防水構造を何ら変更することなく、吸気口65A および排気口65B のための防水構造を別途設ける必要がなく、吸気口65A および排気口65B の設置作業が容易となるうえ、吸気口65A および排気口65B が外部に露出されず、室内の美観が損なわれない。
【００３１】
［第二実施形態］
図７および図８には、本発明の第二実施形態が示されている。
本第二実施形態は、前記第一実施形態における太陽電池パネル51で葺いた屋根４を、屋根葺材81で葺いた屋根４としたものである。
すなわち、屋根面14には、吸気口65A および排気口65B の上方を覆うカバー部90がそれぞれ設けられている。
カバー部90は、屋根葺材81A に一体成形され、吸気口65A および排気口65B に嵌め込まれるパイプ部91と、吸気口65A および排気口65B を覆う被覆部92と、野地板７に固定される固定部93とを備えている。パイプ部91は、下地面15から突出するように設けられている。カバー部90が設けられたカバー部付屋根葺材81A は、カバー部90が設けられていない通常の屋根葺材81と同様に、下地面15に張り付けられるようになっている。
【００３２】
このような本第二実施形態によっても、前記第一実施形態と同様の作用・効果が得られる他、以下のような効果が付加できる。
すなわち、下地面15に形成された吸気口65A および排気口65B にパイプ部91を嵌合し、このパイプ部91を下地面15から上方へ突出させて設置したので、傾斜した屋根面14から雨水が流れ落ちてきても、吸気口65A および排気口65B に雨水が浸入せず、屋根４の防水処理を容易に行うことができる。
また、下地面15に形成された吸気口65A および排気口65B の上方を覆うカバー部90を屋根４を葺く屋根葺材81A に一体成形したので、通常の屋根葺材81とともに、屋根葺作業を行うことで、カバー部90を別途設置する作業が不要となり、屋根４上での作業量を軽減できる。
【００３３】
なお、本発明は前記実施形態に限定されるものではなく、本発明の目的を達成できる他の構成等を含み、以下に示すような変形などを含むものである。
すなわち、全熱交換器としては、全熱交換エレメント62C がケーシングに移動不可能に固定された静止型に限らず、ロータがケーシングに回転可能に設けられた回転型としてもよい。この回転型の全熱交換器を採用する場合、全熱交換動作および全熱交換解除を切り換えるにあたり、全熱交換器に設けられるロータの入切を制御するようにすればよい。
また、全熱交換解除手段を制御するものとして、操作パネル71および制御装置7をの両方を設けたが、これに限らず、操作パネル71のみを設けるようにしてもよい。
【００３４】
【発明の効果】
本発明のセントラル換気装置および換気構造によれば、次のような効果が得られる。すなわち、請求項１に記載のセントラル換気装置によれば、外気と排気との全熱を交換した方が有利となる、冷房期である盛夏および暖房期である厳冬期においては、全熱交換解除手段を作動させず、全熱交換器で外気と排気との全熱交換を行い、屋外に排出される排気に含まれる熱エネルギーを回収し、熱エネルギーの無駄を小さくする。また、中間期等、外気と排気との全熱を交換すると、かえって熱エネルギーが損なわれる場合には、全熱交換解除手段を作動させ、全熱交換器の全熱交換動作を解除し、排気との熱交換を行わないで、外気をそのまま室内へ取り入れるようにし、全熱交換による熱エネルギーの無駄を小さくする。これにより、冷房期、暖房期および中間期のいずれにおいても、熱エネルギーの無駄が小さくなるので、当該熱エネルギーのコストを削減できる。
さらに、このような外気温度センサ及び排気温度センサを建物の室内および屋外にそれぞれ設ければ、外気温度センサ及び排気温度センサで検出された外気温および室温を制御装置で比較して、その結果から制御装置が全熱交換解除手段の入切を自動的に行うようになり、全熱交換器の全熱交換動作および全熱交換解除の切換が容易に行えるようになる。
また、請求項２に記載のセントラル換気装置によれば、このような空調機は、運転状態として、冷房、暖房および送風の三つのモードの一つが選択可能とされ、この選択操作を操作パネルで行うようになっているので、空調機の送風運転に全熱交換解除手段を連動させるために、操作パネルの送風信号を取り出し、当該送風信号を前記制御装置に入力させれば、当該全熱交換解除手段の入切が操作パネルで送風を選択することにより自動的に行えるようになり、全熱交換解除手段を空調機の運転状態に合わせて入切する煩雑さが回避される。
【００３５】
また、請求項３に記載のセントラル換気装置によれば、このような切換ダンパでバイパスダクト側の開口を閉鎖すれば、全熱交換エレメントを通じて換気が行われ、全熱交換解除手段が切状態となり、全熱交換器の全熱交換動作が行われるようになる。一方、切換ダンパで全熱交換エレメント側の開口を閉鎖すれば、バイパスダクトを通じて換気が行われ、全熱交換解除手段が入状態となった全熱交換器の全熱交換解除動作が行われるようになる。これにより、全熱交換器の全熱交換動作および全熱交換解除動作の切換が可能となり、当該全熱交換器の二つの動作を容易に切り換えることができるうえ、全熱交換器の各動作におけるエアバランスを維持できる。
【００３８】
さらに、請求項４に記載のセントラル換気装置によれば、セントラル換気装置が平面視で建物の中央部分に設けられ、外壁に吸気口および排気口を設けると、ダクトが長くなる場合でも、最寄りの屋根面に吸気口および排気口を設けることにより、ダクトの長さを短くすることができる。
【００３９】
また、請求項５に記載のセントラル換気装置によれば、太陽電池パネルが吸気口および排気口の上方を覆うので、下地面に吸気口および排気口を形成しても、屋根の防水性能を損なうことがないことから、屋根の防水構造を何ら変更することなく、吸気口および排気口のための防水構造を別途設ける必要がなく、吸気口および排気口の設置作業が容易となるうえ、吸気口および排気口が外部に露出されず、室内の美観が損なわれない。
【００４０】
さらに、請求項６に記載のセントラル換気装置によれば、下地面に形成された吸気口および排気口に嵌合させるパイプ部を用意し、このパイプ部を下地面から上方へ突出させて設置すれば、傾斜した屋根面から雨水が流れ落ちてきても、吸気口および排気口に雨水が浸入せず、屋根の防水処理を容易に行うことができる。また、下地面に形成された吸気口および排気口の上方を覆うカバー部を屋根を葺く屋根葺材に一体成形したので、通常の屋根葺材とともに、屋根葺作業を行うことで、カバー部を別途設置する作業が不要となり、屋根上での作業量を軽減できる。
【図面の簡単な説明】
【図１】本発明の第一実施形態に係る建物を示す斜視図である。
【図２】前記実施形態に係る屋根を示す断面図である。
【図３】前記実施形態に係る建物の二階を示す平面図である。
【図４】前記実施形態に係る建物の一階を示す平面図である。
【図５】前記実施形態に係る全熱交換ユニットを示す平面図である。
【図６】前記実施形態に係る制御装置を示すブロック図である。
【図７】本発明の第二実施形態を示す斜視図である。
【図８】前記実施形態に係る屋根を示す断面図である。
【符号の説明】
１  建物としてのユニット式建物
4A  棟
4B  軒先
4C  小屋裏
14  屋根面
15  下地面
16  隙間
51  太陽電池パネル
60  セントラル換気装置
62  全熱交換器
65A   吸気口
65B   排気口
66，67  バイパスダクト
68，69  切換ダンパ
71  操作パネル
72，73  温度センサ
75  制御装置
80  全熱交換解除手段
81  屋根葺材
90  カバー部
【図１】
0004567848.tif 000002
【図２】
0004567848.tif 000003
【図３】
0004567848.tif 000004
【図４】
0004567848.tif 000005
【図５】
0004567848.tif 000006
【図６】
0004567848.tif 000007
【図７】
0004567848.tif 000008
【図８】
0004567848.tif 000009